【手続補正書】
【提出日】平成16年5月27日(2004.5.27)
【手続補正１】
【補正対象書類名】特許請求の範囲
【補正対象項目名】全文
【補正方法】変更
【補正の内容】
【特許請求の範囲】
【請求項１】
取付アセンブリと、
第１の部分および第２の部分を両方とも含む単一導電ジャンパまたは感温電流カットオフ構造体と、
第１のターミナル構造体および第２のターミナル構造体と、
導電構造体と
を備えるヒータアセンブリであって、
前記単一導電ジャンパまたは前記感温電流カットオフ構造体の前記第１の部分は、前記第１のターミナル構造体に固定されるよう構成および配置され、
前記第１のターミナル構造体は、取外し可能であるが確実に前記取付アセンブリに固定されるよう構成および配置され、
前記単一導電ジャンパまたは前記感温電流カットオフ構造体の前記第２の部分は、前記第２のターミナル構造体に固定されるよう構成および配置され、
前記第２のターミナル構造体は、取外し可能であるが確実に前記取付アセンブリに固定されるよう構成および配置され、
前記導電構造体は、取外し可能であるが確実に前記取付アセンブリに固定されるよう、また前記単一導電ジャンパまたは前記感温電流カットオフ構造体に結合されるように構成および配置される
ことを特徴とする前記ヒータアセンブリ。
【請求項２】
貫通して形成される第１および第２のターミナル受容開口部を含むインシュレータ支持構造体をさらに備え、
前記インシュレータ支持構造体は、取外し可能であるが確実に前記取付アセンブリに固定されるよう構成および配置され、
前記インシュレータ支持構造体の第１のターミナル受容開口部は、前記第１のターミナル構造体と協働して前記取付アセンブリへ該第１のターミナル構造体を固定するように構成および配置され、
前記インシュレータ支持構造体の第２のターミナル受容開口部は、前記第２のターミナル構造体と協働して前記取付アセンブリへ該第２のターミナル構造体を固定するように構成および配置される
ことを特徴とする請求項１に記載のヒータアセンブリ。
【請求項３】
前記インシュレータ支持構造体はインシュレータターミナルブロックを含むことを特徴とする請求項２に記載のヒータアセンブリ。
【請求項４】
前記第１のターミナル構造体は、第１の平らなターミナル構造体を含み、前記第２のターミナル構造体は、第２の平らなターミナル構造体を含む
ことを特徴とする請求項１に記載のヒータアセンブリ。
【請求項５】
前記ヒータアセンブリはさらに前記第１のターミナル構造体を含むサーモスタットを備え、該サーモスタットは、取外し可能であるが確実に取付アセンブリに固定されるよう構成および配置される
ことを特徴とする請求項１に記載のヒータアセンブリ。
【請求項６】
前記単一導電ジャンパは、前記第１のターミナル構造体および前記第２のターミナル構造体に圧接されるように選択され、構成および配置されることを特徴とする請求項１または５に記載のヒータアセンブリ。
【請求項７】
前記インシュレータ支持構造体はインシュレータブッシングを含むことを特徴とする請求項５に記載のヒータアセンブリ。
【請求項８】
前記取付アセンブリは取付プレート構造体を含み、前記サーモスタットは、１本のネジまたは１個のびょうによって前記取付プレート構造体に固定されることを特徴とする請求項５に記載のヒータアセンブリ。
【請求項９】
前記第２のターミナル構造体は、平らなターミナル構造体を含むことを特徴とする請求項５に記載のヒータアセンブリ。
【請求項１０】
前記感温電流カットオフ構造体および前記単一導電ジャンパは、第３のターミナル構造体、および
貫通して形成される第１、第２、および第３のターミナル受容開口部を含むインシュレータ支持構造体とともに設けられ、
前記インシュレータ支持構造体は取外し可能であるが確実に取付アセンブリに固定されるように構成および配置され、
前記インシュレータ支持構造体の第１のターミナル受容開口部は、前記第１のターミナル構造体と協働して前記取付アセンブリへ該第１のターミナル構造体を固定するように構成および配置され、
前記インシュレータ支持構造体の第２のターミナル受容開口部は、前記第２のターミナル構造体と協働して前記取付アセンブリへ該第２のターミナル構造体を固定するように構成および配置され、
前記インシュレータ支持構造体の第３のターミナル受容開口部は、前記第３のターミナル構造体と協働して前記取付アセンブリへ該第３のターミナル構造体を固定するように構成および配置され、
前記導電構造体は、取外し可能であるが確実に取付アセンブリに固定されるように、また第１のターミナル構造体に結合されるように構成および配置され、
前記単一導電ジャンパは、前記第１のターミナル構造体、および前記第２のターミナル構造体に固定されるよう構成および配置され、
前記感温電流カットオフ構造体は、前記第２のターミナル構造体、および前記第３のターミナル構造体に圧接されるように構成および配置される
ことを特徴とする請求項１に記載のヒータアセンブリ。
【請求項１１】
前記単一導電ジャンパは、前記第１のターミナル構造体および前記第２のターミナル構造体に圧接されるように構成および配置されることを特徴とする請求項１０に記載のヒータアセンブリ。
【請求項１２】
前記インシュレータ支持構造体はインシュレータターミナルブロックを含むことを特徴とする請求項１０に記載のヒータアセンブリ。
【請求項１３】
前記取付構造体は取付プレート構造体を含むことを特徴とする請求項１、５、１０のいずれか一項に記載のヒータアセンブリ。
【請求項１４】
前記取付構造体は取付プレート構造体を含み、該取付プレート構造体は、インシュレータターミナルブロック開口部を含み、
前記インシュレータターミナルブロック開口部は、前記取付プレート構造体へインシュレータターミナルブロックを固定するように構成および配置されることを特徴とする請求項１２に記載のヒータアセンブリ。
【請求項１５】
前記インシュレータターミナルブロックは、１本のネジまたは１個のびょうによって前記取付プレート構造体に固定されることを特徴とする請求項１４に記載のヒータアセンブリ。
【請求項１６】
前記第１のターミナル構造体は、第１の平らなターミナル構造体を含み、
前記第２のターミナル構造体は、第２の平らなターミナル構造体を含み、
前記第３のターミナル構造体は、第３の平らなターミナル構造体を含む
ことを特徴とする請求項１０に記載のヒータアセンブリ。
【請求項１７】
抵抗加熱線支持手段と、複数のカットアウトを有するプレートとを有するフレームと、
第１および第２のターミナル端を有し、前記抵抗加熱線支持手段に支持される抵抗加熱線と、
前記プレートに固定されるインシュレーティングターミナルブロックであって、該プレート上から離れて配置される上部面、該プレートに接触する第１の底面、該プレートの前記カットアウトに対してそれぞれ並んでいる複数の第２の底面、および該上部面から各該第２の底面まで延在する複数のスルーホールを有する該インシュレーティングターミナルブロックと、
複数のターミナル部材であって、各部材が一端に接続端を、また該接続端と反対の端にクリンピング端を有し、各部材が前記第１のインシュレーティングターミナルブロックの前記複数のスルーホールのうち対応する一つを通って延在し、各部材は、該ターミナル部材の第１の部材のクリンピング端内に前記抵抗加熱線の第１のターミナル端を圧接しつつ、該接続端を該第１のインシュレーティング部材の上部面上に、かつ該クリンピング端を前記第２の底面のうちのある一面の下にするようにして、各部材自身を固定するための軸固定手段を有するものである該部材と、
第１のターミナル、第２のターミナル、および感温電流カットオフエレメントを有する感温電流カットオフ装置であって、該第１のターミナルが前記複数のターミナル部材の第２の部材のクリンピング端内に圧接され、該第２のターミナルが、前記複数のターミナル部材の第３の部材のクリンピング端内に圧接され、該感温電流カットオフエレメントが予め決められた距離前記抵抗加熱線から離れるように配置されている該装置と、
一端に第１のクリンピング構造体を、この一端と反対の端に第２のクリンピング構造体を備え、金属導体から形成されている導電ジャンパであって、該第１のクリンピング構造体が前記ターミナル部材の第１の部材の接続端へ圧接され、該第２のクリンピング構造体が前記ターミナル部材の第２の部材の接続端へ圧接されているジャンパと
を備えるヒータ装置。
【請求項１８】
筐体、第１のターミナル、および第２のターミナルを有するサーモスタットであって、該筐体が前記プレートに接合されたものである該サーモスタットと、
前記プレートへ前記筐体を固定する手段と、
前記プレートの前記カットアウトのうちの一つを通って延在し、上部面、底面、および該上部面から該底面まで延在するスルーホールを有するターミナル部材ブッシングと、
前記プレートへ前記ターミナル部材ブッシングを固定する手段と、
一端に接続端を、また該接続端と反対の端にクリンピング端を有し、前記ターミナル部材ブッシングの前記スルーホールを通って延在し、また、該クリンピング端内に前記抵抗加熱線の第２のターミナル端を圧接しつつ、該接続端を該ターミナル部材ブッシングの上部面上に、かつ該クリンピング端を該ターミナル部材ブッシングの底面の下にするようにして自身を固定するための軸固定手段を有するターミナル部材と、
一端に第１のクリンピング構造体を、この一端と反対の端に第２のクリンピング構造体を備え、金属導体から形成されている第２の導電ジャンパであって、該第１のクリンピング構造体が、前記ターミナル部材の接続端へ圧接され、該第２のクリンピング構造体が、前記サーモスタットの第１のターミナルへ圧接されている該ジャンパと
をさらに備えることを特徴とする請求項１に記載のヒータ装置。
【請求項１９】
抵抗加熱線支持手段およびプレートを有するフレームと、
第１および第２のターミナル端を有し、前記抵抗加熱線支持手段に支持される抵抗加熱線と、
前記プレートに固定されるサーモスタットであって、前記プレートに対して直角方向に伸びる第１および第２のターミナルを有する該サーモスタットと、
前記カットアウトのうちの一つを通り、前記プレートに取外し可能に固定されるインシュレーティングブッシングであって、該プレートに対して直角に伸びるスルーホールを有する該インシュレーティングブッシングと、
クリンピング端および接続端を有し、前記スルーホールを通って延在するターミナル部材であって、該クリンピング端が前記抵抗ワイヤのターミナル上に圧接される該部材と、
一端に第１の保持構造体を、この一端と反対の端に第２の保持構造体とを備え、金属導体ストラップから形成されている単一導電ジャンパストラップであって、該第１の保持構造体が前記ターミナル部材の前記接続端に接続され、該第２の保持構造体が前記サーモスタットの第１のターミナルに接続されている該ストラップと
を備えるヒータ装置。
【請求項２０】
ａ）第１の屈曲部をもつ中央プレート部、および一対の足部を有するＵ字型ジャンパストラップであって、各足部は第２の屈曲部から延在しターミナル間隔を画定するものである該Ｕ字型ジャンパストラップと、
ｂ）各足部から延在する一対のターミナル接続部とを備え、
ｃ）前記プレート部の前記第１の屈曲部は、前記ターミナル間隔を変更して、異なる間隔のターミナル接続に対して前記ターミナル接続部を取り付けることができるようになっている
Ｕ字型導電金属ジャンパスストラップ。
【請求項２１】
各ターミナル接続部は、背部および一対の柔軟性クリンピング部を備えることを特徴とする請求項２０に記載のジャンパストラップ。
【請求項２２】
一対のターミナルを電気的に接続する方法であって、
ａ）屈曲部をもつ中央プレート部、および一対の接続足部を有するＵ字型ジャンパストラップであって、各接続足部は設定ターミナル間隔を画定するものである該Ｕ字型ジャンパストラップを準備し、
ｂ）前記接続足部を前記ターミナル対に圧接し、前記中央プレート部の前記屈曲部を調節して、前記設定間隔よりも広いまたは狭いターミナル間隔に適合させること
を含む方法。
【請求項２３】
各接続足部はさらに、
ｉ）前記プレート部にある屈曲部から延在する上側足プレート部、および
ｉｉ）前記上側プレート部から延在する下側接続部を備え、該下側接続部は、背部および一対の柔軟性クリンピング部を備え、該背部および該クリンピング部は、電気的接続をさせるために前記ターミナルのターミナル端を収容するキャビティを形成することを特徴とする請求項２２に記載の方法。